(57)【要約】【課題】  従来の技術では、Ｘ２インターフェースで結ばれていない充電式基地局装置は、電力不足により運転停止になる可能性がある。【解決手段】  本発明の通信システムの一態様は、バッテリーから電力が供給される充電式基地局装置と、少なくとも１つの充電式基地局装置を管理するサーバとを有する通信システムにおいて、前記充電式基地局装置は、前記バッテリーに残存する電力の量に関する第一の情報を、前記サーバに送信する送信部を有し、前記サーバは、前記充電式基地局装置から前記第一の情報を受信する受信部と、前記第一の情報に基づき、前記充電式基地局装置の通信パラメータを制御する制御部と、前記通信パラメータに関する情報を前記充電式基地局装置に送信する送信部とを有する。【選択図】      図３
2017069742.tif 000002
【特許請求の範囲】
【請求項１】
バッテリーから電力が供給される充電式基地局装置と、少なくとも１つの充電式基地局装置を管理するサーバとを有する通信システムにおいて、
前記充電式基地局装置は、
前記バッテリーに残存する電力の量に関する第一の情報を、前記サーバに送信する送信部を有し、
前記サーバは、
前記充電式基地局装置から前記第一の情報を受信する受信部と、
前記第一の情報に基づき、前記充電式基地局装置の通信パラメータを制御する制御部と、
前記通信パラメータに関する情報を前記充電式基地局装置に送信する送信部と、を有する通信システム。
【請求項２】
前記サーバの前記受信部は、前記バッテリーが将来的に充電可能かに関する第二の情報を受信し、
前記制御部は、前記第一の情報と前記第二の情報とに基づき、前記通信パラメータを制御する、
請求項１に記載の通信システム。
【請求項３】
前記第二の情報が前記バッテリーが将来的に充電されないことを示す場合、前記制御部は、前記充電式基地局装置が消費する電力の量が小さくなるように前記通信パラメータを制御する、
請求項２に記載の通信システム。
【請求項４】
前記サーバの前記受信部は、前記充電式基地局装置の将来的な負荷に関する第三の情報を受信し、
前記制御部は、前記第一の情報と前記第三の情報とに基づき、前記通信パラメータを制御する、
請求項１に記載の通信システム。
【請求項５】
前記第三の情報が、前記充電式基地局装置の将来の第一の期間に負荷が大きくなることを示す場合、
前記制御部は、前記第一の期間の開始までの間、前記充電式基地局装置が消費する電力の量が小さくなるように前記通信パラメータを制御する、
請求項４に記載の通信システム。
【請求項６】
前記サーバの前記受信部は、将来の気象に関する第四の情報を受信し、
前記制御部は、前記第一の情報と前記第四の情報とに基づき、前記通信パラメータを制御する、
請求項１に記載の通信システム。
【請求項７】
前記制御部は前記第一の情報と前記第四の情報のそれぞれに重み付け係数を設定し、前記第四の情報が示す気象が現実の気象との比較を行い、前記制御部は、前記比較の結果に基づき前記第四の情報に設定した前記重み付け係数を決定する、
請求項６に記載の通信システム。
【請求項８】
前記制御部は、前記第一の情報に基づき、前記充電式基地局装置に隣接する隣接基地局装置の通信パラメータを制御する、
請求項１〜７のいずれか１項に記載の通信システム。
【請求項９】
バッテリーに残存する電力の量に関する第一の情報をサーバに送信する送信部と、
前記サーバから通信パラメータに関する情報を受信する受信部と、
を有し、バッテリーから電力が供給される、充電式基地局装置。
【請求項１０】
バッテリーから電力が供給される充電式基地局装置から、前記バッテリーに残存する電力の量に関する第一の情報を受信する受信部と、
前記第一の情報に基づき、前記充電式基地局装置の通信パラメータを制御する制御部と、
前記通信パラメータに関する情報を前記充電式基地局装置に送信する送信部と、
を有するサーバ。
【発明の詳細な説明】
【技術分野】
【０００１】
本発明は、無線通信網における通信装置、通信システム、制御方法及び通信プログラムに関する。
【背景技術】
【０００２】
基地局装置は、発電所や変電所などの外部電源から電力が供給されている。そのため、災害等で発電所等の設備が故障し、停電が発生すると、基地局装置も停止してしまうという問題があった。この問題を解決するために、蓄電装置等のバッテリーを備えた基地局装置（以下、充電式基地局装置とよぶ）の開発が進められている。
【０００３】
しかし、充電式基地局装置が備えるバッテリーの電力がなくなってしまうと、充電式基地局装置は運転を停止してしまうという問題が生じる。この問題の解決に関連する技術が、例えば特許文献１に記載されている。
【０００４】
特許文献１では、Ｘ２インターフェースで結ばれた充電式基地局装置同士が、バッテリーにどのくらいの電力が残っているかを示す電力情報を互いに通知する。さらに、特許文献１では、隣接する充電式基地局装置のバッテリーの電力量が自局装置（充電式基地局装置）のバッテリーの電力量よりも少ない場合、自局装置（充電式基地局装置）の負荷を減らす方法が開示されている。
【先行技術文献】
【特許文献】
【０００５】
【特許文献１】国際公開２０１１−００８７６４号公報
【発明の概要】
【発明が解決しようとする課題】
【０００６】
しかし、特許文献１に開示された方法では、Ｘ２インターフェースが使用されるため、Ｘ２帯域を少なからず輻輳させてしまう。また、特許文献１に開示された方法は、Ｘ２インターフェースで結ばれた充電式基地局装置間でしか実行できない。そのため、Ｘ２インターフェースで結ばれていない充電式基地局装置は、依然、上述した問題を抱えている。
【０００７】
そこで、本明細書に開示される実施形態が達成しようとする目的の１つは、Ｘ２インターフェースの形成の有無に関わらず、充電式基地局装置が、電力不足により運転停止になる可能性を低減することが可能な通信システム、通信装置を提供することである。
【課題を解決するための手段】
【０００８】
本実施形態の通信システムは、バッテリーから電力が供給される充電式基地局装置と、少なくとも１つの充電式基地局装置を管理するサーバとを有する通信システムにおいて、前記充電式基地局装置は、前記バッテリーに残存する電力の量に関する第一の情報を、前記サーバに送信する送信部を有し、前記サーバは、前記充電式基地局装置から前記第一の情報を受信する受信部と、前記第一の情報に基づき、前記充電式基地局装置の通信パラメータを制御する制御部と、前記通信パラメータに関する情報を前記充電式基地局装置に送信する送信部とを有する。
【０００９】
本実施形態の充電式基地局装置は、バッテリーに残存する電力の量に関する第一の情報をサーバに送信する送信部と、前記サーバから通信パラメータに関する情報を受信する受信部と、を有する。
【００１０】
本実施形態のサーバは、バッテリーから電力が供給される充電式基地局装置から、前記バッテリーに残存する電力の量に関する第一の情報を受信する受信部と、前記第一の情報に基づき、前記充電式基地局装置の通信パラメータを制御する制御部と、前記通信パラメータに関する情報を前記充電式基地局装置に送信する送信部と、を有する。
【発明の効果】
【００１１】
上述の実施形態によれば、電力不足により充電式基地局装置が運転停止になる可能性を低減することができる。
【図面の簡単な説明】
【００１２】
【図１】第１の実施形態に係る通信システム１０００の構成図である。
【図２】第１の実施形態に係る充電式基地局装置のブロック図である。
【図３】第１の実施形態に係るサーバのブロック図である。
【図４】第１の実施形態に係る充電式基地局装置の動作のフローチャートである。
【図５】第１の実施形態に係るサーバの動作のフローチャートである。
【図６】第２の実施形態に係る充電式基地局装置のブロック図である。
【図７】第２の実施形態に係るサーバのブロック図である。
【図８】第２の実施形態に係る充電式基地局装置の動作のフローチャートである。
【図９】第２の実施形態に係るサーバの動作のフローチャートである。
【図１０】第２の実施形態に係るサーバの制御部の動作のフローチャートである。
【図１１】第２の実施形態に係るサーバの制御部の動作のフローチャートである。
【図１２】第２の実施形態に係るサーバの制御部の動作のフローチャートである。
【図１３】第３の実施形態に係る充電式基地局装置のブロック図である。
【図１４】第３の実施形態に係るサーバの動作のフローチャートである。
【図１５】第３の実施形態に係る充電式基地局装置の動作のフローチャートである。
【図１６】第３の実施形態に係るサーバの動作のフローチャートである。
【発明を実施するための形態】
【００１３】
以下では、具体的な実施形態について、図面を参照しながら詳細に説明する。各図面において、同一又は対応する要素には同一の符号が付されており、説明の明確化のため、必要に応じて重複説明は省略される。
【００１４】
以下に説明される複数の実施形態は、独立に実施されることもできるし、適宜組み合わせて実施されることもできる。これら複数の実施形態は、互いに異なる新規な特徴を有している。したがって、これら複数の実施形態は、互いに異なる目的又は課題を解決することに寄与し、互いに異なる効果を奏することに寄与する。
【００１５】
＜第１の実施形態＞
図１は、本実施形態における通信システム１０００の構成の一例を示す。当該通信システムは通信サービス、例えば音声通信若しくはパケットデータ通信又はこれら両方を提供する。図１を参照すると、当該通信システムは、充電式基地局装置１０と、少なくとも１つの充電式基地局装置１０を管理するサーバ１１とを含む。
【００１６】
図２は、本実施形態における充電式基地局装置１０の構成の一例を示す。
【００１７】
充電式基地局装置１０は、送信部１００と受信部１０１を少なくとも有する。
【００１８】
送信部１００は、充電式基地局装置１０に電力を供給するバッテリーに残存する電力の量に関する第一の情報を、サーバ２０に送信する。
【００１９】
受信部１０１は、サーバ２０から、充電式基地局装置１０の通信パラメータに関する情報を受信する。
【００２０】
なお、第一の情報は、バッテリーに残存する電力の量をワットＷ単位で表した情報でも良いし、バッテリーに蓄積できる最大の電力の量に対し、バッテリーに残存する電力の量をパーセント％単位で表した情報でも良い。例えば、バッテリーに蓄積できる最大の電力の量が１００Ｗで、バッテリーに残存する電力の量が３０Ｗである場合、第一の情報は３０Ｗまたは３０％となる。
【００２１】
なお、送信部１００がサーバ２０に第一の情報を送信するタイミングは、サーバ２０から第一の情報を送信するよう要求されたときでも良い。または、送信部１００は第一の情報を、任意の時間間隔（例えば、５秒ごと）で送信しても良いし、所定のイベントが発生した場合に送信してもよい。所定のイベントは、例えば、バッテリーに残存する電力の量が任意の量以下になったことであっても良い。
【００２２】
図３は、本実施形態におけるサーバ２０の構成の一例を示す。
【００２３】
サーバ２０は、受信部２００と制御部２０１と送信部２０２を少なくとも有する。
【００２４】
受信部２００は、充電式基地局装置１０から第一の情報を受信する。
【００２５】
制御部２０１は、第一の情報に基づき、充電式基地局装置１０の通信パラメータを制御する。
【００２６】
送信部２０２は、制御部２０１が制御した通信パラメータに関する情報を充電式基地局装置１０に送信する。
【００２７】
なお、通信パラメータは、送信電力の大きさ、セルカバレッジの大きさ、などに関する各種パラメータである。また、通信パラメータに関する情報は、送信電力の大きさなどの情報以外にも、時間に関する情報を含んでも良い。例えば、通信パラメータに関する情報は、所定時間までの送信電力の大きさを指定する情報であっても良い。具体的には、通信パラメータに関する情報は、２０１５年１０月１日午後１時００分までの送信電力の大きさを指定する情報であっても良い。
【００２８】
なお、第一の情報がバッテリーの電力の量が閾値以下であることを示す場合、制御部２０１は、充電式基地局装置１０の消費電力が小さくなるように、充電式基地局装置１０の通信パラメータを制御しても良い。例えば、制御部２０１は、充電式基地局装置１０の送信電力を小さくするように通信パラメータを制御しても良いし、充電式基地局装置１０のセルカバレッジを小さくするよう通信パラメータを制御しても良い。また、第一の情報がバッテリーの電力の量が閾値以上であることを示す場合、制御部２０１は、充電式基地局装置１０の消費電力が大きくなるように、充電式基地局装置１０の通信パラメータを制御しても良い。あるいは、制御部２０１は、充電式基地局装置１０の通信パラメータを変更しなくても良い。
【００２９】
次に、本実施形態の充電式基地局装置１０の動作について、図４を用いて説明する。
【００３０】
送信部１００は、バッテリーに残存する電力の量に関する第一の情報を、サーバ２０に送信する（ステップＳ１００）。
【００３１】
受信部１０１は、サーバ２０から通信パラメータに関する情報を受信する（ステップＳ１０１）。
【００３２】
次に、本実施形態のサーバ２０の動作について、図５を用いて説明する。
【００３３】
受信部２００は、充電式基地局装置１０から第一の情報を受信する（ステップＳ２００）。
【００３４】
制御部２０１は、第一の情報に基づき、充電式基地局装置１０の通信パラメータを制御する（ステップＳ２０１）。
【００３５】
送信部２０２は、通信パラメータに関する情報を充電式基地局装置１０に送信する（ステップＳ２０２）。
【００３６】
以上のようにして、本実施形態における通信システム１０００は、充電式基地局装置のバッテリーに残存する電力の量に関する情報を、充電式基地局装置を管理するサーバに送信し、当該サーバが当該情報に基づき、当該充電式基地局装置の通信パラメータを設定する。そのため、例え、充電式基地局装置が隣接する基地局装置とＸ２インターフェースにより接続されていなくても、充電式基地局装置のバッテリーの電力の量に基づいた通信パラメータを設定することができる。そのため、本実施形態における通信システム１０００は、Ｘ２インターフェースの形成の有無に関わらず、充電式基地局装置が、電力不足により運転停止になる可能性を低減することが可能となる。
【００３７】
＜第２の実施形態＞
次に、本発明の第２の実施形態における通信システムについて説明する。
【００３８】
本実施形態の通信システムは、バッテリーに残存する電力の量だけでなく、当該バッテリーが将来的に充電されるか否かの情報をも考慮して、充電式基地局装置の通信パラメータを設定する。
【００３９】
また、本実施形態では、第１の実施形態で述べた第一の情報を、電力情報とよぶ。
【００４０】
図６は、本実施形態における充電式基地局装置１１の構成の一例を示す。
【００４１】
充電式基地局装置１１は、送信部１０２、受信部１０１を少なくとも有する。
【００４２】
送信部１０２は、バッテリーに残存する電力の量に関する電力情報と当該バッテリーが将来的に充電可能かに関する充電情報とを、サーバ２１に送信する。
【００４３】
受信部１０１は、第１の実施形態の受信部と同様である。
【００４４】
なお、充電情報は、バッテリーがいつから充電されるかを示す時間情報を含んでも良い。時間情報とは、秒単位、分単位、時間単位、１日単位で表される情報であっても良い。例えば、バッテリーが２時間３０分後の２０１５年１０月１日午後１時００分に充電される場合、充電情報は、バッテリーが２時間３０分後に充電されることを示す情報であっても良いし、バッテリーが２０１５年１０月１日午後１時００分に充電されることを示す情報であっても良い。さらに、充電情報は、充電が開始される時間だけでなく、充電が終了する時間を示す情報を含んでも良い。
【００４５】
ところで、充電式基地局装置１１の有するバッテリーは、太陽光発電機、地熱発電機、風力発電機、波力・潮力発電機、流水・潮汐発電機、バイオマス発電機、原子力発電機、水力発電機等の種々の発電機のうち少なくともいずれか１つから電力の供給を受けることで充電されうる。発電機の種類によっては、発電が可能か否かが天候や自然環境等に依存することもある。例えば、太陽光発電機では、太陽光などの光源が必要である。そのため、太陽光発電機は昼間や晴れの日は稼働できるが、夜や曇りの日、雨の日は発電できないことがある。また、風力発電機は風がふいていなければ発電できないことがある。さらに、バイオマス発電機や原子力発電機では、エネルギー源となるバイオマスや核燃料がなければ発電できないことがある。一方で、地熱発電機や波力・潮力発電機では、発電機の設置場所が適切であれば、エネルギー源が絶えることはあまりない。このように、発電機の種類によってバッテリーが充電されやすいか否かが変わるため、充電式基地局装置１１は、バッテリーが電力の供給を受ける発電機の種別に関する情報を充電情報に含ませても良い。
【００４６】
そして、発電機の種別に関する情報を含む充電情報を受信したサーバ２１は、発電機の種別に応じ、充電式基地局装置１１が有するバッテリーが充電されやすいか否かを判断しても良い。
【００４７】
次に、充電式基地局装置１１が充電情報を生成する方法を説明する。本実施形態においては、充電式基地局装置１１の有するバッテリーが、太陽光発電機から電力が供給されて充電させる場合について述べる。充電式基地局装置１１は、昼か夜かを示す情報または気象に関する情報のいずれか一方、または両方に基づき、充電情報を生成しても良い。充電式基地局装置１１は、充電式基地局装置１１に内蔵されたセンサやタイマ等を用いて、昼か夜かを示す情報を生成しても良いし、外部装置から昼か夜かを示す情報を受信しても良い。例えば、充電式基地局装置１１に内蔵されたセンサが光を感知した場合に、充電式基地局装置１１は、昼であることを示す情報を生成しても良い。また、充電式基地局装置１１に内蔵されたタイマが日の出以降日の入りまでの時間帯を示す場合に、充電式基地局装置１１は、昼であることを示す情報を生成しても良い。また、充電式基地局装置１１は、気象に関する情報を外部装置から受信しても良い。さらに充電式基地局装置１１は、太陽光発電機が設置された場所が、他の建物等により日陰になってしまうために太陽光発電機が太陽光を受けることができず、結果としてバッテリーが充電されないことを考慮にいれて、充電情報を生成しても良い。
【００４８】
また、充電情報は、バッテリーがどれほど充電されるかを示す情報を含んでも良い。例えば、最大蓄電量が１００Ｗのバッテリーがあり、ある時点での当該バッテリーに残存する電力の量が３０Ｗだったが、２時間３０分後に充電が開始されることにより電力が２０Ｗ増加し、合計５０Ｗになる場合、充電情報は、２時間３０分後に電力が２０Ｗ増えることをＷ単位で示す情報を含んでも良いし、充電後の電力が最大蓄電量の５０％になることを示す情報を含んでも良い。
【００４９】
なお、充電情報は充電式基地局装置１１がサーバ２１に送信するのではなく、充電式基地局装置１１以外の装置が充電情報をサーバ２１に送信しても良い。また、サーバ２１は、充電情報を充電式基地局装置１１から受信するか、充電式基地局装置１１以外の装置から受信するかを選択しても良い。さらに、充電式基地局装置１１または充電式基地局装置１１以外の装置がサーバ２１に充電情報を送信するタイミングは、サーバ２１から充電情報を送信するよう要求されたときでも良いし、任意の時間間隔（例えば、５秒ごと）で送信しても良いし、所定のイベントが発生した場合に送信するようにしてもよい。
【００５０】
図７は、本実施形態におけるサーバ２１の構成の一例を示す。
【００５１】
サーバ２１は、受信部２０３、制御部２０４、送信部２０２を少なくとも有する。
【００５２】
受信部２０３は、充電式基地局装置１１から電力情報と充電情報とを受信する。
【００５３】
制御部２０４は、電力情報と充電情報とに基づき、充電式基地局装置１１の通信パラメータを制御する。
【００５４】
送信部２０２は、第１の実施形態の送信部と同様である。
【００５５】
次に、本実施形態の充電式基地局装置１１の動作について、図８を用いて説明する。
【００５６】
送信部１０２は、電力情報と充電情報とを、サーバ２１に送信する（ステップＳ１１０）。
【００５７】
受信部１０１は、サーバ２１から通信パラメータに関する情報を受信する（ステップＳ１１１）。
【００５８】
次に、本実施形態のサーバ２１の動作について、図９を用いて説明する。
【００５９】
受信部２０３は、充電式基地局装置１１から電力情報と充電情報とを受信する（ステップＳ２１０）。
【００６０】
制御部２０４は、電力情報と充電情報とに基づき、充電式基地局装置１１の通信パラメータを制御する（ステップＳ２１１）。
【００６１】
送信部２０２は、通信パラメータに関する情報を充電式基地局装置１１に送信する（ステップＳ２１２）。
【００６２】
次に、本実施形態のサーバ２１の制御部２０４の動作を詳細に説明する。
【００６３】
図１０は、制御部２０４の動作の一例を示す。
【００６４】
制御部２０４は、バッテリーに残存する電力の量が、充電が開始される時間までに充電式基地局装置１１が消費すると予測される電力の量よりも大きいかを判断する（ステップＳ２０４０）。
【００６５】
バッテリーに残存する電力の量が、充電が開始される時間までに充電式基地局装置１１が消費すると予測される電力の量よりも大きい場合（ステップＳ２０４０：Ｙｅｓ）、制御部２０４は、充電式基地局装置１１の通信パラメータを変更しなくても良い（ステップＳ２０４１）。
【００６６】
バッテリーに残存する電力の量が、充電が開始される時間までに充電式基地局装置１１が消費すると予測される電力の量よりも小さい場合（ステップＳ２０４０：Ｎｏ）、制御部２０４は、充電式基地局装置１１の通信パラメータを変更する（ステップＳ２０４２）。
【００６７】
以下では、具体的な例をあげてサーバ２１の制御部２０４の動作を説明する。充電式基地局装置１１のバッテリーに残存する電力の量が５００Ｗであり、当該充電式基地局装置１１は１時間あたり１００Ｗ消費していると仮定する。さらに、充電式基地局装置１１がサーバ２１に、４時間後にバッテリーの充電が開始されることを示す充電情報を送信したと仮定する。
【００６８】
制御部２０４は、バッテリーに残存する電力の量と、充電が開始されるまでに充電式基地局装置１１が消費すると予測される電力の量とを比較する。充電式基地局装置１１は、充電が開始されるまでに１００Ｗ×４、つまり４００Ｗを消費する。そのため、制御部２０４は、バッテリーに残存する電力の量（５００Ｗ）が、充電が開始されるまでに充電式基地局装置１１が消費すると予測される電力の量（４００Ｗ）よりも大きいと判断する（ステップＳ２０４０：Ｙｅｓ）。この場合、制御部２０４は、充電式基地局装置１１の通信パラメータを変更しなくても良い（ステップＳ２０４１）。このように、バッテリーに残存する電力の量が、充電が開始されるまでに充電式基地局装置１１が消費すると予測される電力の量よりも大きい場合、充電式基地局装置１１の通信パラメータが変更されなくても、充電式基地局装置１１は充電が開始されるまでの間、電力不足を起こすことなく運転することができる。
【００６９】
次に、制御部２０４が充電式基地局装置１１の通信パラメータを変更する場合の動作を、具体例を用いて説明する。
【００７０】
充電式基地局装置１１のバッテリーに残存する電力の量が３００Ｗであり、当該充電式基地局装置１１は１時間あたり１００Ｗ消費していると仮定する。さらに、充電式基地局装置１１がサーバ２１に、４時間後にバッテリーの充電が開始されることを示す充電情報を送信したと仮定する。制御部２０４は、バッテリーに残存する電力の量と、充電が開始されるまでに充電式基地局装置１１が消費すると予測される電力の量とを比較する。充電式基地局装置１１は、充電が開始されるまでに１００Ｗ×４、つまり４００Ｗを消費する。そのため、制御部２０４は、バッテリーに残存する電力の量（３００Ｗ）が、充電が開始されるまでに充電式基地局装置１１が消費すると予測される電力の量（４００Ｗ）よりも小さいと判断する（ステップＳ２０４０：ＮＯ）。この場合、バッテリーに残存する電力の量が、充電が開始されるまでに充電式基地局装置１１が消費すると予測される電力の量よりも小さい場合、充電式基地局装置１１の通信パラメータが変更されなければ、充電式基地局装置１１は充電が開始されるまでに、電力不足を起こしてしまう。そのため、制御部２０４は、充電式基地局装置１１の通信パラメータを変更する（ステップＳ２０４２）。
【００７１】
図１１は、制御部２０４の動作の別の例を示す。
【００７２】
はじめに、制御部２０４は、バッテリーに残存する電力の量が閾値以上であるかを判断する（ステップＳ２０４３）。なお、閾値は、充電式基地局装置の種別に応じて変更しても良い。例えば、充電式基地局装置がマクロセルなどの大きなセルを形成する基地局装置である場合、充電式基地局装置が消費する電力が大きいため、閾値を大きくしても良い。また、例えば、充電式基地局装置がスモールセルやフェムトセルなどの小さなセルを形成する基地局装置である場合、充電式基地局装置が消費する電力が小さいため、閾値を小さくしても良い。なお、閾値はワット（Ｗ）単位で表されても良いし、最大蓄電量に対するパーセント（％）単位で表されても良い。
【００７３】
バッテリーに残存する電力の量が閾値以上である場合（ステップＳ２０４３：Ｙｅｓ）、制御部２０４は、充電式基地局装置１１の通信パラメータを変更しなくても良い（ステップＳ２０４４）。
【００７４】
バッテリーに残存する電力の量が閾値未満である場合（ステップＳ２０４３：Ｎｏ）、制御部２０４は、バッテリーの充電が任意の期間内に開始されるかを判断する（ステップＳ２０４５）。
【００７５】
バッテリーの充電が任意の期間内に開始される場合（ステップＳ２０４５：Ｙｅｓ）、制御部２０４は、充電式基地局装置１１の通信パラメータは変更しなくても良い（ステップＳ２０４６）。なお、任意の期間は、バッテリーの電力の量に基づいて決定されても良い。例えば、バッテリーの電力の量が閾値以下であってもバッテリーの充電がすぐに開始される場合、制御部２０４は充電式基地局装置の通信パラメータを変更しなくても良い。
【００７６】
バッテリーの充電が任意の期間内に開始されない場合（ステップＳ２０４５：Ｎｏ）、制御部２０４は、充電式基地局装置１１の通信パラメータを制御する（ステップＳ２０４７）。なお、この場合、制御部２０４は、バッテリーに残存する電力の量を考慮し、充電式基地局装置１１の消費電力が小さくなるように、充電式基地局装置１１の通信パラメータを制御しても良い。
【００７７】
図１２は、制御部２０４の動作の別の例を示す。
【００７８】
制御部２０４は、バッテリーの充電が任意の期間内に開始されるかを判断する（ステップＳ２０４８）。
【００７９】
バッテリーの充電が任意の期間内に開始される場合（ステップＳ２０４８：Ｙｅｓ）、制御部２０４は、充電式基地局装置１１の通信パラメータは変更しなくても良い（ステップＳ２０４９）。なお、任意の期間は、バッテリーに残存する電力の量に基づいて決定されても良い。
【００８０】
バッテリーの充電が任意の期間内に開始されない場合（ステップＳ２０４８：Ｎｏ）、制御部２０４は、バッテリーの電力の量が閾値以上であるかを判断する（ステップＳ２０５０）。
【００８１】
バッテリーに残存する電力の量が閾値以上である場合（ステップＳ２０５０：Ｙｅｓ）、制御部２０４は、充電式基地局装置１１の通信パラメータを変更しなくても良い（ステップＳ２０５１）。
【００８２】
バッテリーに残存する電力の量が閾値未満である場合（ステップＳ２０５０：Ｎｏ）、制御部２０４は、充電式基地局装置１１の通信パラメータを変更する（ステップＳ２０５２）。例えば、制御部２０４は、充電式基地局装置１１の消費電力が小さくなるように充電式基地局装置１１の通信パラメータを制御しても良い。
【００８３】
なお、制御部２０４は、充電式基地局装置１１のバッテリーの充電が開始されるタイミングを、充電情報と気象情報とに基づき算出しても良い。例えば、充電情報が４時間後に充電が開始されることを示しており、かつ、気象情報が３時間後に雨が降るが５時間後に晴れることを示している場合を例に、制御部２０４の動作を説明する。バッテリーが太陽光発電等、太陽の光を受けて発電を行う装置から電力の供給を受けて充電される場合、３時間後に雨が降り出すと、バッテリーは予定していた充電を開始することができない。この場合、当該バッテリーは４時間後には充電が開始されないが、５時間後には充電が開始される。そのため、制御部２０４は、当該バッテリーの充電が開始されるタイミングは、５時間後であると算出する。また、例えば、バッテリーが地熱発電等、気象に影響を受けにくい発電機から電力の供給を受ける場合、制御部２０４は、当該バッテリーは４時間後に充電が開始されると算出する。
【００８４】
また、制御部２０４は、充電情報と気象情報のそれぞれに重み付け係数を設定し、充電式基地局装置１１のバッテリーの充電が開始されるタイミングを算出しても良い。例えば、気象情報よりも充電情報に基づきバッテリーの充電が開始されるタイミングを算出する場合、制御部２０４は、充電情報の重み付け係数を気象情報の重み付け係数よりも大きくする。また、例えば、制御部２０４は、気象情報と実際の気象との比較を行い、該比較の結果に基づき、気象情報の重み付け係数を決定しても良い。例えば、気象情報が３時間後に雨が降ることを示しているが、実際の３時間後の天候が雨でなかった場合、制御部２０４は、気象情報の重み付け係数を小さくしても良い。また、例えば、実際の気象が気象情報が示す気象と同じ場合、制御部２０４は、気象情報の重み付け係数を大きくしても良い。
【００８５】
本実施形態における通信システムでは、充電式基地局装置のバッテリーの残電力量に関する情報と当該バッテリーが将来的に充電可能かに関する情報とに基づき、当該充電式基地局装置の通信パラメータを設定する。よって、将来的に電力不足が生じる可能性が高い場合に限り、通信パラメータを変更することができる。そのため、充電式基地局装置が電力不足により運転停止となる可能性を低減することができる。また、サーバとサーバが管理する基地局装置間の通信回数（例えば、通信パラメータに関する情報の送信回数）を削減することができる。これにより、サーバとサーバが管理する基地局装置間の通信が輻輳する可能性を低減することができる。
【００８６】
＜第３の実施形態＞
充電式基地局装置のセルカバレッジ付近でコンサート等が開催されると、コンサート会場周辺に一時的に人が集まるため、充電式基地局装置の通信量が増えることがある。この場合、充電式基地局装置の処理負荷が増え、消費電力が大きくなる場合がある。このような場合において、充電式基地局装置が備えるバッテリーの電力の量が十分でない場合、充電式基地局装置は電力不足により運転停止となる可能性がある。
【００８７】
そこで、本実施形態では、上述の課題を解決すべく、充電式基地局装置の将来的な負荷も考慮することで、より最適な通信パラメータを充電式基地局装置に設定する通信システムを提供する。
【００８８】
また、本実施形態では、第１の実施形態で述べた第一の情報を、電力情報とよぶ。
【００８９】
図１３は、本実施形態における充電式基地局装置１２の構成の一例を示す。
【００９０】
充電式基地局装置１２は、送信部１０３、受信部１０１を少なくとも有する。
【００９１】
送信部１０３は、バッテリーに残存する電力の量に関する電力情報を、サーバ２２に送信する。
【００９２】
受信部１０１は、第１の実施形態の受信部と同様である。
【００９３】
図１４は、本実施形態におけるサーバ２２の構成の一例を示す。
【００９４】
サーバ２２は、受信部２０５、制御部２０６、送信部２０２を少なくとも有する。
【００９５】
受信部２０５は、充電式基地局装置１２から電力情報を受信する。また、受信部２０５は、外部装置２３から充電式基地局装置１２の将来的な負荷に関する負荷情報を受信する。
【００９６】
制御部２０６は、電力情報と負荷情報とに基づき、充電式基地局装置１２の通信パラメータを制御する。
【００９７】
送信部２０２は、制御部２０６が制御した通信パラメータに関する情報を充電式基地局装置１２に送信する。
【００９８】
なお、充電式基地局装置１２の将来的な負荷に関する負荷情報は、例えば、１時間後に充電式基地局装置１２の負荷が増えることを示す情報であっても良い。具体的には、例えば、負荷情報は、数時間後に充電式基地局装置１２のセルカバレッジ付近でコンサート等が開催されることを示す情報であっても良い。サーバ２２は、負荷情報が数時間後にコンサート等が開催されることを示す場合、数時間後に充電式基地局装置１２の負荷が増えると予測することができる。さらに、負荷情報は、通信量が増える場所を示す位置情報を含んでも良い。例えば、負荷情報は、どこでコンサート等が開始されるかを示す情報を含んでも良い。サーバ２２は、受信した負荷情報に基づき、どの基地局装置の負荷が増えるかを予測しても良い。
【００９９】
次に、本実施形態の充電式基地局装置１２の動作について、図１５を用いて説明する。
【０１００】
送信部１０３は、電力情報をサーバ２２に送信する（ステップＳ１２０）。
【０１０１】
受信部１０１は、サーバ２２から通信パラメータに関する情報を受信する（ステップＳ１２１）。
【０１０２】
次に、本実施形態のサーバ２２の動作について、図１６を用いて説明する。
【０１０３】
受信部２０５は、充電式基地局装置１２から電力情報を受信し、外部装置から充電式基地局装置１２の将来的な負荷に関する負荷情報を受信する（ステップＳ２２０）。
【０１０４】
制御部２０６は、電力情報と負荷情報とに基づき、充電式基地局装置の通信パラメータを制御する（ステップＳ２２１）。
【０１０５】
送信部２０２は、通信パラメータに関する情報を充電式基地局装置に送信する（ステップＳ２２２）。
【０１０６】
次に、本実施形態のサーバ２２の制御部２０６の動作を詳細に説明する。
【０１０７】
図１７は、制御部２０６の動作の一例を示す。
【０１０８】
制御部２０６は、負荷情報を受信したか否かを判断する（ステップＳ２０６０）。
【０１０９】
負荷情報を受信していない場合（ステップＳ２０６０：Ｎｏ）、制御部２０６は、充電式基地局装置１２の通信パラメータを変更しなくても良い（ステップＳ２０６１）。あるいは、制御部２０６は、第１の実施形態に記載の制御部２０１または第２の実施形態に記載の制御部２０４と同じ動作をしても良い。
【０１１０】
負荷情報を受信した場合（ステップＳ２０６０：Ｙｅｓ）、制御部２０６は、負荷情報が将来的に充電式基地局装置１２の負荷が大きくなることを示しているかを判断する（ステップＳ２０６２）。
【０１１１】
負荷情報が将来的に充電式基地局装置１２の負荷が大きくならないことを示している場合（ステップＳ２０６２：Ｎｏ）、制御部２０６は、充電式基地局装置１２の通信パラメータを変更しなくても良い（ステップＳ２０６３）。あるいは、制御部２０６は、第１の実施形態に記載の制御部２０１または第２の実施形態に記載の制御部２０４と同じ動作をしても良い。
【０１１２】
負荷情報が将来的に充電式基地局装置１２の負荷が大きくなることを示している場合（ステップＳ２０６２：Ｙｅｓ）、制御部２０６は、充電式基地局装置１２の通信パラメータを制御する（ステップＳ２０６４）。例えば、制御部２０６は、充電情報と電力情報とに基づいて、充電式基地局装置１２の消費電力が小さくなるように、充電式基地局装置１２の通信パラメータを制御しても良い。
【０１１３】
以下では、具体的な例をあげてサーバ２２の制御部２０６の動作を説明する。ここでは、バッテリーに残存する電力の量が３００Ｗであり、負荷情報が２時間後に負荷が大きくなることを示している（ステップＳ２０６０：Ｙｅｓ、ステップＳ２０６２：Ｙｅｓ）と仮定する。さらに、充電式基地局装置の消費する電力は、負荷が大きくなる前は１００Ｗ／ｈであり、負荷が大きくなった後は２００Ｗ／ｈであるとする。この場合、充電式基地局装置１２の通信パラメータが変更されずに２時間運用された場合、負荷が大きくなった際に充電式基地局装置１２のバッテリーに残る電力が十分でなくなる。そこで、制御部２０６は、負荷が大きくなる期間（上述の例では、２時間後）までは、例えば、充電式基地局装置１２の消費電力が小さくなるように通信パラメータを変更する（ステップＳ２０６４）。
【０１１４】
本実施形態における通信システムでは、充電式基地局装置のバッテリーに残存する電力量に関する情報と当該充電式基地局装置の将来的な負荷に関する負荷情報とに基づき、当該充電式基地局装置の通信パラメータを設定する。そのため、将来的に充電式基地局装置が電力不足に陥る可能性が高い場合、充電式基地局装置が将来的に電力不足にならないよう、通信パラメータを変更することができる。
【０１１５】
なお、上述の各実施形態において、サーバの制御部は、第一の情報に基づき、充電式基地局に隣接する隣接基地局装置の通信パラメータを制御しても良い。例えば、充電式基地局装置の消費電力が小さくなるように通信パラメータを変更する場合、サーバの制御部は、隣接基地局装置の消費電力が大きくなるように、当該隣接基地局装置の通信パラメータを変更しても良い。
【０１１６】
隣接基地局装置の消費電力が大きくなるように隣接基地局装置の通信パラメータを変更する場合、サーバの制御部は、どの隣接基地局装置の通信パラメータを変更するかを判断しても良い。ここで、充電可能なバッテリーから電力が供給されるのではなく、外部電源から電力の供給を受ける基地局装置を、非充電式基地局装置とよぶ。例えば、充電式基地局装置の隣接に隣接充電式基地局装置と隣接非充電式基地局装置が存在する場合、制御部は、隣接非充電式基地局装置の通信パラメータを優先的に変更しても良い。また、充電式基地局装置の隣接に隣接充電式基地局装置しかない場合、制御部は、当該隣接充電式基地局装置のバッテリーがどのような発電機から電力の供給を受けているかを考慮に入れて、通信パラメータを変更する隣接充電式基地局装置を決定しても良い。通信パラメータが変更される隣接充電式基地局装置または隣接非充電式基地局装置は、通信パラメータの変更を拒否することを示す情報をサーバに送信しても良い。
【０１１７】
なお、サーバが充電式基地局装置だけでなく、非充電式基地局装置をも管理する場合、サーバは非充電式基地局装置から、自局装置は充電式基地局装置ではないことを示す情報を受信しても良い。
【０１１８】
また、上述の各実施形態において、第一の情報または電力情報は、残存する電力の量に基づいて算出された時間に関する情報であっても良い。例えば、第一の情報は、バッテリーに残存する電力の量で充電式基地局装置１０が稼働できる残り時間を示す情報でも良い。具体的には、充電式基地局装置１０の１時間当たりの消費電力が１００Ｗであり、バッテリーに残存する電力の量が３００Ｗである場合、第一の情報は、充電式基地局装置１０は残り３時間稼働できることを示す情報であっても良い。
【０１１９】
また、上述の各実施形態において、バッテリーは充電式基地局装置の内部にあっても外部にあっても良い。バッテリーは、充電可能な装置（蓄電装置、電池など）であっても良いし、充電不可の装置（乾電池など）であっても良い。
【０１２０】
なお、上述の各実施形態におけるステップＳ２０４１、ステップＳ２０４４、ステップＳ２０４６、ステップＳ２０４９、ステップＳ２０５２、ステップＳ２０６１、ステップＳ２０６３では、制御部は充電式基地局装置の通信パラメータを制御しても良い。例えば、制御部は、充電式基地局装置の消費電力が大きくなるように、充電式基地局装置の通信パラメータを制御しても良い。
【０１２１】
また、上述した各実施形態の各処理は、ソフトウェアによって実行されてもよい。すなわち、各処理を行うためのコンピュータ・プログラムが、情報処理装置が備えるＣＰＵによって読み込まれ、実行されてもよい。プログラムを用いて各処理を行っても、上述の実施形態の処理と同内容の処理を行うことができる。そして、上記のプログラムは、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュメモリ等の半導体記憶装置、光ディスク、磁気ディスク、光磁気ディスク等、非一時的な媒体に格納されてもよい。
【０１２２】
また、本明細書で開示した各実施形態における動作を実施するサーバは、ＳＯＮ（Ｓｅｌｆ−Ｏｒｇａｎｉｚｅｄ  Ｎｅｔｗｏｒｋ）機能サーバや、ＥＭＳ（Ｅｌｅｍｅｎｔ  Ｍａｎａｇｅｍｅｎｔ  Ｓｙｓｔｅｍ）装置等のノードマネージメント装置等であっても良い。
【０１２３】
上記の各実施形態の一部又は全部は、以下の付記のようにも記載されうるが、以下には限られない。
【０１２４】
（付記１）バッテリーから電力が供給される充電式基地局装置と、少なくとも１つの充電式基地局装置を管理するサーバとを有する通信システムにおいて、前記充電式基地局装置は、前記バッテリーに残存する電力の量に関する第一の情報を、前記サーバに送信する送信部を有し、前記サーバは、前記充電式基地局装置から前記第一の情報を受信する受信部と、前記第一の情報に基づき、前記充電式基地局装置の通信パラメータを制御する制御部と、前記通信パラメータに関する情報を前記充電式基地局装置に送信する送信部と、を有する通信システム。
【０１２５】
（付記２）前記サーバの前記受信部は、前記バッテリーが将来的に充電可能かに関する第二の情報を受信し、前記制御部は、前記第一の情報と前記第二の情報とに基づき、前記通信パラメータを制御する、付記１に記載の通信システム。
【０１２６】
（付記３）前記第二の情報が前記バッテリーが将来的に充電されないことを示す場合、前記制御部は、前記充電式基地局装置が消費する電力の量が小さくなるように前記通信パラメータを制御する、付記２に記載の通信システム。
【０１２７】
（付記４）前記サーバの前記受信部は、前記充電式基地局装置の将来的な負荷に関する第三の情報を受信し、前記制御部は、前記第一の情報と前記第三の情報とに基づき、前記通信パラメータを制御する、付記１に記載の通信システム。
【０１２８】
（付記５）前記第三の情報が、前記充電式基地局装置の将来の第一の期間に負荷が大きくなることを示す場合、前記制御部は、前記第一の期間の開始までの間、前記充電式基地局装置が消費する電力の量が小さくなるように前記通信パラメータを制御する、付記４に記載の通信システム。
【０１２９】
（付記６）前記サーバの前記受信部は、前記充電式基地局装置の将来的な負荷に関する第三の情報を受信し、前記受信部は、前記第一の情報と前記第二の情報と前記第三の情報とに基づき、前記通信パラメータを制御する、付記２に記載の通信システム。
【０１３０】
（付記７）前記サーバの前記受信部は、将来の気象に関する第四の情報を受信し、前記制御部は、前記第一の情報と前記第四の情報とに基づき、前記通信パラメータを制御する、付記１に記載の通信システム。
【０１３１】
（付記８）前記制御部は前記第一の情報と前記第四の情報のそれぞれに重み付け係数を設定し、前記第四の情報が示す気象が現実の気象との比較を行い、前記制御部は、前記比較の結果に基づき前記第四の情報に設定した前記重み付け係数を決定する、付記７に記載の通信システム。
【０１３２】
（付記９）前記サーバの前記受信部は、将来の気象に関する第四の情報を受信し、前記受信部は、前記第一の情報と前記第二の情報と前記第四の情報とに基づき、前記通信パラメータを制御する、付記２に記載の通信システム。
【０１３３】
（付記１０）前記サーバの前記受信部は、将来の気象に関する第四の情報を受信し、前記受信部は、前記第一の情報と前記第二の情報と前記第三の情報と前記第四の情報とに基づき、前記通信パラメータを制御する、付記６に記載の通信システム。
【０１３４】
（付記１１）前記制御部は、前記第一の情報に基づき、前記充電式基地局装置に隣接する隣接基地局装置の通信パラメータを制御する、付記１〜１０のいずれか１項に記載の通信システム。
【０１３５】
（付記１２）バッテリーに残存する電力の量に関する第一の情報をサーバに送信する送信部と、前記サーバから通信パラメータに関する情報を受信する受信部と、を有する、バッテリーから電力が供給される充電式基地局装置。
【０１３６】
（付記１３）前記送信部は、前記バッテリーが将来的に充電可能かに関する第二の情報を送信し、前記通信パラメータに関する情報は、前記第一の情報と前記第二の情報とに基づき決定された情報である、付記１２に記載のバッテリーから電力が供給される充電式基地局装置。
【０１３７】
（付記１４）前記第二の情報が前記バッテリーが将来的に充電されないことを示す場合、前記通信パラメータは、前記充電式基地局装置が消費する電力の量が小さくなるように設定されている、付記１３に記載のバッテリーから電力が供給される充電式基地局装置。
【０１３８】
（付記１５）前記送信部は、前記充電式基地局装置の将来的な負荷に関する第三の情報を送信し、前記通信パラメータに関する情報は、前記第一の情報と前記第三の情報とに基づき決定された情報である、付記１２に記載のバッテリーから電力が供給される充電式基地局装置。
【０１３９】
（付記１６）前記第三の情報が、前記充電式基地局装置の将来の第一の期間に負荷が大きくなることを示す場合、前記通信パラメータは、前記充電式基地局装置が消費する電力の量が小さくなるように設定されている、付記１５に記載のバッテリーから電力が供給される充電式基地局装置。
【０１４０】
（付記１７）前記送信部は、前記充電式基地局装置の将来的な負荷に関する第三の情報を送信し、前記通信パラメータに関する情報は、前記第一の情報と前記第二の情報と前記第三の情報とに基づき決定された情報である、付記１３に記載のバッテリーから電力が供給される充電式基地局装置。
【０１４１】
（付記１８）前記送信部は、将来の気象に関する第四の情報を送信し、前記通信パラメータに関する情報は、前記第一の情報と前記第四の情報とに基づき決定された情報である、付記１２に記載のバッテリーから電力が供給される充電式基地局装置。
【０１４２】
（付記１９）前記送信部は、将来の気象に関する第四の情報を送信し、前記通信パラメータに関する情報は、前記第一の情報と前記第二の情報と前記第四の情報とに基づき決定された情報である、付記１３に記載のバッテリーから電力が供給される充電式基地局装置。
【０１４３】
（付記２０）前記送信部は、将来の気象に関する第四の情報を送信し、前記通信パラメータに関する情報は、前記第一の情報と前記第二の情報と前記第三の情報と前記第四の情報とに基づき決定された情報である、付記１７に記載のバッテリーから電力が供給される充電式基地局装置。
【０１４４】
（付記２１）バッテリーから電力が供給される充電式基地局装置から、前記バッテリーに残存する電力の量に関する第一の情報を受信する受信部と、前記第一の情報に基づき、前記充電式基地局装置の通信パラメータを制御する制御部と、前記通信パラメータに関する情報を前記充電式基地局装置に送信する送信部と、を有するサーバ。
【０１４５】
（付記２２）バッテリーに残存する電力の量に関する第一の情報をサーバに送信するステップと、前記サーバから通信パラメータに関する情報を受信するステップと、を含む、制御方法。
【０１４６】
（付記２３）バッテリーから電力が供給される充電式基地局装置から、前記バッテリーに残存する電力の量に関する第一の情報を受信するステップと、前記第一の情報に基づき、前記充電式基地局装置の通信パラメータを制御するステップと、前記通信パラメータに関する情報を前記充電式基地局装置に送信するステップと、
を含む、制御方法。
【０１４７】
（付記２４）コンピュータ上で実行された際に、バッテリーに残存する電力の量に関する第一の情報をサーバに送信する工程と、前記サーバから通信パラメータに関する情報を受信する工程と、を有する制御方法を実行することが可能なプログラムコードを有するプログラム。
【０１４８】
（付記２５）コンピュータ上で実行された際に、バッテリーから電力が供給される充電式基地局装置から、前記バッテリーに残存する電力の量に関する第一の情報を受信することと、前記第一の情報に基づき、前記充電式基地局装置の通信パラメータを制御する工程と、前記通信パラメータに関する情報を前記充電式基地局装置に送信する工程と、を有する制御方法を実行することが可能なプログラムコードを有するプログラム。
【０１４９】
（付記２６）コンピュータに読み取り可能な情報記憶媒体であって、付記２４に記載のプログラムを記録する記録媒体。
【０１５０】
（付記２７）コンピュータに読み取り可能な情報記憶媒体であって、付記２５に記載のプログラムを記録する記録媒体。
【符号の説明】
【０１５１】
１０、１１、１２    充電式基地局装置
２０、２１、２２    サーバ
１００、１０２、１０３、２０２    送信部
１０１、２００、２０３、２０５    受信部
２０１、２０４、２０６    制御部
１０００    通信システム
【図１】
2017069742.tif 000003
【図２】
2017069742.tif 000004
【図３】
2017069742.tif 000005
【図４】
2017069742.tif 000006
【図５】
2017069742.tif 000007
【図６】
2017069742.tif 000008
【図７】
2017069742.tif 000009
【図８】
2017069742.tif 000010
【図９】
2017069742.tif 000011
【図１０】
2017069742.tif 000012
【図１１】
2017069742.tif 000013
【図１２】
2017069742.tif 000014
【図１３】
2017069742.tif 000015
【図１４】
2017069742.tif 000016
【図１５】
2017069742.tif 000017
【図１６】
2017069742.tif 000018